(57)【特許請求の範囲】
【請求項１】
主走査方向に電子的な走査をして原稿の情報を読取り、前記主走査方向に直交する副走査方向に手動により移動させることで、前記移動に応じて前記原稿の情報を二次元の画像情報として得るハンディスキャナにおいて、
前記副走査方向の所定量の移動に応じて発生する信号を受けてスキャナの移動速度が正常の範囲か否か判定して警報信号を発生する移動速度監視回路と、この移動速度監視回路から出力信号を受けて警報を発生する警報器とを具え、前記移動速度監視回路は、前記移動速度が正常範囲より遅い側にあるときには第１の警報音を発生する前記出力信号を出力し、前記移動速度が前記正常範囲より速い側にあるときには、前記第１の警報音とは異なる第２の警報音を発生する前記出力信号を出力し、前記移動速度が前記正常範囲にあるときに警報音を発生する信号を出力せずかつ前記第１の警報音あるいは前記第２の警報音が移動速度に応じて変化するハンディスキャナ。
【請求項２】
前記原稿の読取り情報のうちの前記主走査の所定の範囲の情報を前記副走査方向の移動に応じて現在の副走査位置あるいはこれより手前の位置から手前所定副走査分だけ部分表示する請求項１記載のハンディスキャナ。
【発明の詳細な説明】
【０００１】
【発明の属する技術分野】
この発明は、ハンディスキャナに関し、詳しくは、移動速度検出装置を有するハンディスキャナにおいて、誰でも簡単に移動速度の制御ができ、正常な画像読取りが誰でも容易にできるようなハンディスキャナに関する。
【０００２】
【従来の技術】
ハンディタイプのイメージスキャナ、いわゆる、ハンディスキャナにあっては、例えば、ＣＣＤによって構成されるラインセンサが主走査方向に配置され、副走査方向にユーザが手動で移動させる形式を採る。
この種のイメージスキャナでは、スキャナを必要以上速くあるいは遅く移動させると、正常に情報を読取ることができないので、通常は、装置の内部に移動速度の検出装置が設けられている。この移動速度検出装置としては、ＬＥＤ表示装置や警告音によるものであって、走査速度が読取り限界を超えるような速度になった場合に、その状態を表示し、あるいは、警報を発する。あるいは、表示装置によっては、走査速度に応じて走査速度をレベル（％）表示するような装置もある。
【０００３】
【発明が解決しようとする課題】
しかし、このような移動速度検出装置は、ＬＥＤ表示あるいは警報に応じて走査速度が速すぎたときには、遅くし、遅すぎたときには速くするというものであり、その状態は、いくらか先の走査が行われた後でないと調整されないので、慣れない限りは、適正な走査をすることがなかなか難しい。また、人によっては走査に器用な人もいるが、不器用な人では、なかなかうまく情報を読取れない上に、一気に速くしたり、遅くしたりするために、何度も走査を繰り返さなければならなくなる。
この発明の目的は、このような従来技術の問題点を解決するものであって、誰でも簡単に移動速度の制御ができ、正常な画像読取りが誰でも容易にできるハンディスキャナを提供することにある。
【０００４】
【課題を解決するための手段】
このような目的を達成するこの発明のハンディスキャナの特徴は、副走査方向の所定量の移動に応じて発生する信号を受けてスキャナの移動速度が正常の範囲か否か判定して警報信号を発生する移動速度監視回路と、この移動速度監視回路から出力信号を受けて警報を発生する警報器とを具えていて、移動速度監視回路が移動速度が正常範囲より遅い側にあるときには第１の警報音を発生する出力信号を出力し、移動速度が正常範囲より速い側にあるときには、第１の警報音とは異なる第２の警報音を発生する出力信号を出力し、移動速度が正常範囲にあるときに警報音を発生する信号を出力せずかつ第１の警報音あるいは第２の警報音が移動速度に応じて変化するものである。
【０００５】
【発明の実施の形態】
このように、正常範囲の副走査方向の移動に対して、遅いときと速いときの警報音を異なるものとし、正常範囲を超えるそれぞれの移動速度において移動速度に応じて警報音が変化するようにしているので、速度調整が一気に速くなったり、一気に遅くなったりすることを抑制できる。
その結果、ハンディスキャナの走査に慣れていない人であっても容易に正常な走査ができる。
【０００６】
【実施例】
図１は、この発明のハンディスキャナを適用したハンディスキャナのブロック図であり、図２は、その使用例の説明図であり、図３は、その走査エリア部分表示の表示状態の説明図である。
図１において、１は、ハンディスキャナであって、ラインセンサ読取部２と、このラインセンサ読取部２からの信号を受けて主走査方向の読取りデータを受ける画像処理プロセッサ３、画像メモリ４、走査エリア部分表示装置５、ロータリエンコーダ６、副走査同期信号発生回路７、移動速度監視回路８、警報器９、そしてインタフェース１０とから構成されている。
【０００７】
ラインセンサ読取部２は、ラインセンサ２ａとＡ／Ｄ変換回路（Ａ／Ｄ）２ｂ、そしてタイミングコントローラ２ｃ等で構成され、１回の主走査ごとにパルス（以下主走査パルス）を発生してＡ／Ｄ変換された読取りデータとともにこのパルスを画像処理プロセッサ３に送出する。
画像処理プロセッサ３は、ＭＰＵ３ａとプログラムを記憶したメモリ３ｂ等で構成され、ラインセンサ読取部２を制御して読取りデータと主走査パルスとを受け、さらに副走査方向の速度を示すパルス（以下副走査同期パルス）を副走査同期信号発生回路７から受けて読取りデータを１枚の画像データ（副走査に応じて二次元画像データ）として生成し、画像メモリ４に記憶する。
さらに、受けた読取りデータからあらかじめ決められた主走査の位置（範囲）、例えば、先頭部分の主走査の位置から１文字分＋α分の読取りデータを表示画像データに変換して走査エリア部分表示装置５に副走査同期パルスを受けるごとに、このパルスに応じて送出する。
【０００８】
走査エリア部分表示装置５は、画像処理プロセッサ３から１文字分＋α分の表示データを受けて、バッファメモリに記憶する。このバッファメモリは、表示範囲の一定量のデータを記憶するもので、その記憶容量は、主走査領域に１文字分＋α相当分であり、副走査方向に主走査の数ライン分、例えば、１文字＋β分の記憶ができるものである。ここで、α，βは、次の文字との余白を含めての表示余裕分を持つものである。そして、この記憶容量からあふれる副走査方向の古いデータは、新しいデータを受ける都度最も古いから順に捨てられていく。
走査エリア部分表示装置５は、このバッファメモリに記憶された表示データを表示する。なお、この場合、図３に示されるように、副走査に応じて、古いデータが先の表示行となり、最新の入力データは、最後の表示行に表示される。
ロータリエンコーダ６は、ハンディスキャナ１に設けられたローラ等に結合され、ハンディスキャナ１が副走査方向に所定量移動するごとに、副走査パルスを発生して、このパルスを副走査同期信号発生回路７に送出する。副走査同期信号発生回路７は、副走査パルスを所定量カウントするごとに、副走査同期パルスを発生してこれを画像処理プロセッサ３と移動速度監視回路８とに送出する。
【０００９】
移動速度監視回路８は、副走査同期パルスの周期を監視して、それが所定の周期以下となったときに警報器９を駆動して警告音を発生する。これにより限界速度を越える速さの走査になったことを走査する人に知らせる。あるいは副走査同期パルスが所定の周期以上となったときに警報器９を駆動して警告音を発生し、走査速度が限界速度を越える遅い走査になったことを走査する人に知らせる。さらに、副走査方向の移動速度が正常範囲にある場合には警報音を発生しない。
【００１０】
移動速度監視回路８の構成は、上限速度検出回路８ａと下限速度検出回路８ｂと、警報信号生成回路８ｃとからなる。上限速度検出回路８ａは、例えば、ワンショット回路とアンド回路で構成され、ワンショット回路のパルス幅期間に次の副走査同期パルスが発生することを論理積を採るアンド回路により検出信号を発生する。
一方、下限速度検出回路８ｂもワンショット回路とアンド回路、インバータとで構成され、上限速度検出回路８ａよりワンショットパルスのパルス幅期間が長く、かつ、これの反転信号の論理積によりその期間から外れたことをアンド回路で検出することで検出信号を発生する。
警報信号生成回路８ｃは、それぞれの検出信号を受け、上限速度検出回路８ａから検出信号を受けたときには、高い周波数の断続音の信号を発生し、下限速度検出回路８ｂから検出信号を受けたときには、比較的低い周波数の連続続音の信号を発生する。
【００１１】
副走査方向の移動速度が正常範囲にあるときには、上限速度検出回路８ａと下限速度検出回路８ｂとはともに検出信号を発生しない。この場合には、警報信号生成回路８ｃから警報信号が発生しない。
以上の場合、副走査方向の移動が上限速度を超えている場合あるいは下限速度を超えている場合に、それぞれ超えた移動速度の程度に応じて警報信号の状態を変化させるようにする。これは、例えば、警報信号生成回路８ｃにさらには副走査同期パルスを入力し、その周期に応じて周波数を変えた警報信号を生成するようにすればよい。
【００１２】
ところで、先の走査エリア部分表示装置５の表示画面５ａは、図２において、図示するようにハンディスキャナ１の上面で目視できる位置に設けられる。
図３は、この走査エリア部分表示装置５の表示状態の説明図であって、先頭文字が「あ」という字であり、それが表示画面５ａに走査される状態を示している。なお、１１は、読取り原稿である。
このように、走査エリア部分表示装置５は、古いデータが先の表示行となり、最新の入力データが最後の表示行に表示されように、副走査同期パルスに応じて画像処理プロセッサ３から受ける表示データを、順次、主走査方向に１文字＋α、副走査方向に１文字＋β分のサンプリング表示をする。
【００１３】
このようにすれば、先の警報音とともに、副走査とともに文字が順次形成表示されるので、文字が正常に表示されるような速度で副走査方向の走査が行い易く、主走査方向の一文字の読取り速度に合わせて正常に表示されるような走査で副走査方向の走査を進めることができる。この１文字の部分サンプリング表示は、そのとき主走査方向に並ぶ他の文字の読取りも正常であることを同時に示す。しかも、少し前から現在までの内容が表意されているので、速度修正がすぐに行える。また、読取りがうまくいかないときにはそれがすぐに分かる。それにより途中でやり直しも行い易い。
【００１４】
以上説明してきたが、この実施例では、上限速度検出回路から検出信号を受けたときには、高い周波数の変化音を発生する信号とし、下限速度検出回路から検出信号を受けたときには、比較的低い周波数の変化音を発生する信号を警報としているが、これは、逆であってもよく、他の種々の音を使用してもよい。両者の警報音が異なり、かつ、正常範囲で警報音を発生しなければよい。
【００１５】
【発明の効果】
以上説明してきたように、この発明にあっては、正常範囲の副走査方向の移動に対して、遅いときと速いときの警報音を異なるものとし、正常範囲を超えるそれぞれの移動速度において移動速度に応じて警報音が変化するようにしているので、速度調整が一気に速くなったり、一気に遅くなったりすることを抑制できる。
その結果、ハンディスキャナの走査に慣れていない人であっても容易に正常な走査ができる。
【図面の簡単な説明】
【図１】図１は、この発明のハンディスキャナを適用したハンディスキャナのブロック図である。
【図２】図２は、その使用例の説明図である。
【図３】図３は、その走査エリア部分表示の表示状態の説明図である。
【符号の説明】
１…ハンディスキャナ、
２…ラインセンサ読取部、
２ａ…ラインセンサ、２ｂ…Ａ／Ｄ変換回路（Ａ／Ｄ）、
２ｃ…タイミングコントローラ、３…画像処理プロセッサ、
４…画像メモリ、５…走査エリア部分表示装置、
６…ロータリエンコーダ、
８…移動速度監視回路、８ａ…上限速度検出回路、
８ｂ…下限速度検出回路１８ｃ…警報信号生成回路、
９…警報器、１０…インタフェース。
【図１】
0003674815.tif 000002
【図２】
0003674815.tif 000003
【図３】
0003674815.tif 000004